(57)【要約】【課題】昇降グリルにおいて、収納を誘導するための別部品を装着させることなく、吸入グリルをスムーズにかつ確実に収納すること。【解決手段】化粧パネル７の吸入グリル１０または吸入フィルター１１にグリル面取り形状部２０を設けることにより、吸入グリル１０がグリル収納部直前に何かの弾みで遥動してしまった場合でも、面取り形状部２０の作用で吸入グリル収納部１８へと誘導されるため、吸入グリル１０の確実な収納が実現できる。【選択図】図１ 
2005134068.tif 000002
【特許請求の範囲】
【請求項１】
化粧パネルと、吸入グリルと、前記吸入グリルに設けた吸入フィルターを具備し、前記吸入グリルはワイヤー連結部にてワイヤーに係止され、前記ワイヤーの他端は昇降モータに巻回され、前記昇降モータの回転により前記吸入グリルを昇降させる空気調和機において、前記吸入グリルの端部を面取り形状としたことを特徴とする空気調和機。
【請求項２】
ワイヤー連結部を吸入グリルの端部の面取り形状部に設けたことを特徴とする、請求項１記載の空気調和機。
【請求項３】
吸入グリルの端部ならびに吸入フィルターの端部に面取り形状を設けたことを特徴とする、請求項１記載の空気調和機。
【請求項４】
吸入グリルの面取り形状部の傾斜角度を１５度〜４５度の範囲内としたことを特徴とする、請求項１〜３のいずれかに記載の空気調和機。
【発明の詳細な説明】
【技術分野】
【０００１】
本発明は吸入フィルターの清掃を容易にする昇降装置を備えた空気調和機に関するものである。
【背景技術】
【０００２】
従来、この種の空気調和機の吸入フィルターのメンテナンスにおいて、脚立などに上がって高所で作業する危険および手間を無くすための方策がいくつか考案されている（例えば、特許文献１参照）。
【０００３】
図７は、特許文献１に記載された従来の空気調和機の縦断面図を示すものである。また、図８は従来の空気調和機の吸入グリル収納部の詳細図である。図７および図８に示すように、天井１内に埋設された室内ユニット本体２の内部に、熱交換器３、ドレンパン４、送風機５、ファンモーター６等が配置され、この室内ユニット本体２にはその下部開口を覆う化粧パネル７が着脱自在に装着されている。化粧パネル７の中央部には吸込口８が形成され、この吸込口８の両側には吹出口９が形成されている。吸込口８には吸込グリル１０が嵌合され、その背後には吸込フィルター１１が着脱自在に係止されている。化粧パネル７の内壁に取り付けられたブラケット１２には、正逆回転可能なモーター１３ａ，１３ｂが固定されており、吸込グリル１０の昇降装置を構成する。吸込グリル１０の４つの角隅部はそれぞれワイヤー１４の先端に取付けているワイヤー連結部１４で連結され、これら複数のワイヤー１４はそれぞれワイヤーガイダー１５を経て各別のリール１６に巻装されている。そして、これら各リール１６は各別のモーター１３ａ，１３ｂの出力軸１７に固着されている。
【０００４】
以上のように構成された昇降装置を備えた空気調和機について、以下その動作を説明する。
【０００５】
吸込フィルター１１を洗浄する場合には、モーター１３ａ，１３ｂを逆回転させる。そして、リール１６からワイヤー１４が巻き戻されて吸込グリル１０がほぼ水平状態のまま所定の高さに降下したときモーター１３ａ，１３ｂを停止させる。この状態で床上の作業者が吸込グリル１０から吸込フィルター１１を取り外してこれを洗浄する。洗浄が終了すれば、吸込フィルター１１を吸込グリル１０に再び取り付け、モーター１３ａ，１３ｂを正回転させることによりリール１６がワイヤー１４を巻き取る。そして、吸込グリル１０が上昇して化粧パネル７の吸入グリル収納部１８に到達したとき、モーター１３ａ，１３ｂを停止させて、吸入グリル１０の収納が完了する。
【特許文献１】特開平１０−２０５８０５号公報
【発明の開示】
【発明が解決しようとする課題】
【０００６】
しかしながら、前記従来の構成では、ワイヤガイダー１５が化粧パネル７より室内ユニット本体２の内側にあるため、モーター１３ａ，１３ｂを正回転させてリール１６がワイヤー１４を巻き取る時、すなわち吸込グリル１０の収納時に、何かの弾みで吸込グリル１０が揺れながら上昇してくると、化粧パネル７の内部にある吸入グリル収納部１８に吸込グリル１０が完全に収納されるまで揺れが止まらないため、吸入グリル１０の収納直前に化粧パネル７の下面に引っかかって完全に収納されない場合があった。また、吸入グリル１０の揺れを止め、かつ吸入グリル１０を確実に吸入グリル収納部１８に収納するため、吸入グリル１０を誘導するためのスライドガイダー１９のような別部品が必要であるという課題を有していた。
【０００７】
本発明は、前記従来の課題を解決するもので、スライドガイダーのような吸入グリルおよびその周囲に特別な部品を設けることなく、吸入グリルの収納をスムーズにかつ確実に行うことの出来る昇降装置を備えた空気調和機を提供することを目的とする。
【課題を解決するための手段】
【０００８】
前記従来の課題を解決するために、本発明の空気調和機は、昇降グリルの吸入グリルの端部形状に、面取り形状部を設けたものである。
【０００９】
これによって、吸入グリルの収納を誘導するための別部品の取付けが不要となり、吸入グリルの上昇中に揺れ等が発生しても、吸入グリルの面取り形状部が吸入グリル収納部に到達することにより、吸入グリルが吸入グリル収納部に誘導され、スムーズかつ確実な吸入グリルの収納が可能となる。
【発明の効果】
【００１０】
本発明の空気調和機は、昇降グリルの吸入グリルを引っ掛かったりすることなく、スムーズにかつ確実に収納することができる。
【発明を実施するための最良の形態】
【００１１】
第１の発明は化粧パネルと、吸入グリルと、前記吸入グリルに設けた吸入フィルターを具備し、前記吸入グリルはワイヤー連結部にてワイヤーに係止され、前記ワイヤーの他端は昇降モータに巻回され、前記昇降モータの回転により前記吸入グリルを昇降させる空気調和機において、前記吸入グリルの端部を面取り形状とすることにより吸入グリルの収納用ガイダー等の別部品を設けることが不要となり、吸入グリルをスムーズかつ確実に収納することができる。
【００１２】
第２の発明は、特に、第１の発明の空気調和機において、ワイヤー連結部を吸入グリルの端部の面取り形状部に設けることにより、吸入グリルの揺れ幅が少なくなり、吸入グリルをスムーズかつ確実に収納することができる。
【００１３】
第３の発明は、特に、第１の発明の空気調和機において、吸入グリルの端部ならびに吸入フィルターの端部に面取り形状を設けることにより、よりスムーズに且つ確実に収納することができ、また、吸入グリルを吸入フィルターと一体とした場合には、吸入グリルを昇降グリル専用のものとせず、昇降機能がない化粧パネルと同一のものが使用可能となる。
【００１４】
第４の発明は、特に、第１〜３のいずれか１つの発明の空気調和機において、吸入グリルの面取り形状部の傾斜角度を１５度〜４５度の範囲内に設けることにより、さらに確実に吸入グリルを収納することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の縦断面図を示すものである。また、図２は吸入グリル収納部の詳細図を示すものである。また図３は吸入グリルの収納直前動作図を示すものである。
図１において、天井１内に埋設された室内ユニット本体２の内部に、熱交換器３、ドレンパン４、送風機５、ファンモーター６等が配置され、この室内ユニット本体２にはその下部開口を覆う化粧パネル７が着脱自在に装着されている。化粧パネル７の中央部には吸込
口８が形成され、この吸込口８の両側には吹出口９が形成されている。吸込口８には吸込グリル１０が嵌合され、その背後には吸込フィルター１１が着脱自在に係止されている。化粧パネル７の内壁に取り付けられたブラケット１２には、正逆回転可能なモーター１３ａ，１３ｂが固定されており、吸込グリル１０の昇降装置を構成する。吸入フィルター１１の清掃の際には、吸入グリル１０を下降させ、清掃終了後、再度吸入フィルター１１を吸入グリル１０に装着させ、吸入グリル１０を吸入グリル収納部に収納させる。吸入グリル１０には面取り形状部２０が設けられている。
【００１７】
以上のように構成された空気調和機について、以下その動作、作用を説明する。
【００１８】
まず、吸入グリル１０の上昇時に揺れが発生し、吸入グリル収納部からはみ出してしまう場合に吸入グリル１０に設けられている面取り形状部２０が化粧パネル７の内部にある吸入グリル収納部１８の端部に接触する。その後の吸入グリル１０の上昇により、図３に示すように、吸入グリル１０が矢印の方向へ誘導される。従って、吸入グリル収納部１８の内部へと誘導され、吸入グリル収納部１８の端部に引っ掛かることなく、吸入グリル１０が収納される。
【００１９】
以上のように、本実施の形態においては吸入グリルに面取り形状部を設けることにより、収納誘導用の別部品を装着することなく吸入グリルをスムーズにかつ確実に収納することができる。
【００２０】
（実施の形態２）
図４は、本発明の第２の実施の形態の空気調和機の吸入グリル収納部の詳細図である。
【００２１】
図４において、吸入グリル１０に面取り形状部２０が設けられており、面取り形状部内に
ワイヤー連結部２１が設けられている。ワイヤー連結部２１を面取り形状部２０内に設けることにより、吸入グリル１０の収納直前の揺れ幅を小さくすることができる。
以上のように、本実施の形態においては吸入グリルの面取り形状部内にワイヤー連結部を設けることにより、吸入グリル収納直前の揺れ幅を小さくすることができ、吸入グリルをスムーズにかつ確実に収納することができる。
【００２２】
（実施の形態３）
図５は、本発明の第３の実施の形態の空気調和機の吸入グリル収納部の詳細図である。
【００２３】
図５において、吸入グリル１０に装着されている吸入フィルター１１に面取り形状部２０が設けられている。
【００２４】
以上のように、吸入フィルター１１に面取り形状部２０を設けることにより、よりスムーズに且つ確実に収納することができる。尚、実施の形態３では吸入グリル１０と吸入フィルタ１１を別体として説明したが、一体の物であっても構わない。この場合、昇降グリル専用の吸入グリルを製造することなく、昇降機能のない化粧パネルのものと兼用することができる。
【００２５】
（実施の形態４）
図６は、本発明の第４の実施の形態の空気調和機の面取り形状部の詳細図である。また、
表１は制動トルク５．９Ｎ・ｍの昇降用モーター２個を使用し、吸入グリルと吸入フィルターの合計重量２．０ｋｇの条件下において、吸入グリルの収納性を試験した結果である。
【００２６】
【表１】
2005134068.tif 000003
【００２７】
表１において、グリル面取り形状部２０の傾斜角度αを１５度以上に設定しなければ、吸入グリル１０がきちんと収納しないことがわかる。しかしながらあまり傾斜角度αを大きく取ると、面取り形状部の横寸法ａが小さくなってしまい、吸入グリル１０の揺れ幅が大きくなると化粧パネルの吸入グリル収納部端面から面取り形状部がはみ出してしまう恐れがあるため、面取り形状部２０の傾斜角度αは４５度以下とすることが望ましい。
以上のように、本実施の形態においては面取り形状部の傾斜角度を１５度から４５度の範囲内に設定することにより、より吸入グリルを確実に収納することができる。
【産業上の利用可能性】
【００２８】
以上のように、本発明にかかる空気調和機は、昇降グリルの吸入グリルに面取り形状部を設けることにより、収納誘導用の別部品を装着することなく吸入グリルをスムーズにかつ確実に収納することが可能となるので、天井吊形エアコン以外のタイプにも適用できる。
【図面の簡単な説明】
【００２９】
【図１】本発明の実施の形態１における空気調和機の縦断面図
【図２】本発明の実施の形態１における空気調和機の吸入グリル収納部の詳細図
【図３】本発明の実施の形態１における空気調和機の吸入グリルの収納直前動作図
【図４】本発明の実施の形態２における空気調和機の吸入グリル収納部の詳細図
【図５】本発明の実施の形態３における空気調和機の吸入グリル収納部の詳細図
【図６】本発明の実施の形態４における空気調和機の吸入グリル面取り形状部の詳細図
【図７】従来の空気調和機の縦断面図
【図８】従来の空気調和機の吸入グリル収納部の詳細図
【符号の説明】
【００３０】
２  室内ユニット本体
７  化粧パネル
１０  吸入グリル
１１  吸入フィルター
１３ａ  昇降モーター
１３ｂ  昇降モーター
１４  ワイヤー
２０  面取り形状部
２１  ワイヤー連結部
【図１】
2005134068.tif 000004
【図２】
2005134068.tif 000005
【図３】
2005134068.tif 000006
【図４】
2005134068.tif 000007
【図５】
2005134068.tif 000008
【図６】
2005134068.tif 000009
【図７】
2005134068.tif 000010
【図８】
2005134068.tif 000011